(57)【要約】【課題】  時間帯別の計量値を検針する検針員の画面の見逃しを減らし、検針に要する時間を短縮して効率よく検針することができる電子式電力量計を提供する。【解決手段】  電圧値及び電流値を計測する電圧・電流計測手段１２、１３と、上記電圧値及び電流値にもとづいて時間帯別の電力量を演算する演算手段１４と、上記演算手段によって演算された電力量を時間帯別に表示画面５１に表示させると共に、上記表示画面を時間帯別に順次切り換えて表示し得るようにされた表示手段５０と、上記表示画面の表示の仕方を制御する制御手段１６とを備え、上記制御手段は、所定の時間帯の電力量の表示画面を所定時間点灯表示した後、他の時間帯の電力量の表示画面に切り換えて、この表示画面の少なくとも一部を他の所定時間点滅させ、その後、上記他の時間帯の電力量の表示画面を所定時間点灯表示する構成とする。【選択図】図３
2007278753.tif 000002
【特許請求の範囲】
【請求項１】
電圧値及び電流値を計測する電圧・電流計測手段と、上記電圧値及び電流値にもとづいて時間帯別の電力量を演算する演算手段と、上記演算手段によって演算された電力量を時間帯別に表示画面に表示させると共に、上記表示画面を時間帯別に順次切り換えて表示し得るようにされた表示手段と、上記表示画面の表示の仕方を制御する制御手段とを備え、
上記制御手段は、所定の時間帯の電力量の表示画面を所定時間点灯表示した後、他の時間帯の電力量の表示画面に切り換えて、この表示画面の少なくとも一部を他の所定時間点滅させ、その後、上記他の時間帯の電力量の表示画面を所定時間点灯表示するようにしたことを特徴とする電子式電力量計。
【請求項２】
電圧値及び電流値を計測する電圧・電流計測手段と、上記電圧値及び電流値にもとづいて時間帯別の電力量を演算する演算手段と、上記演算手段によって演算された電力量を時間帯別に表示画面に表示させると共に、上記表示画面を時間帯別に順次切り換えて表示し得るようにされた表示手段と、上記表示画面の表示の仕方を制御する制御手段とを備え、
上記制御手段は、所定の時間帯の電力量の表示画面を所定時間点灯表示した後、上記所定の時間帯の電力量の表示画面の少なくとも一部を点滅させ、その後、他の時間帯の電力量の表示画面に切り換えて所定時間点灯表示するようにしたことを特徴とする電子式電力量計。
【請求項３】
電圧値及び電流値を計測する電圧・電流計測手段と、上記電圧値及び電流値にもとづいて時間帯別の電力量を演算する演算手段と、上記演算手段によって演算された電力量を時間帯別に表示画面に表示させると共に、上記表示画面を時間帯別に順次切り換えて表示し得るようにされた表示手段と、上記表示画面を照明する照明手段と、上記表示画面の表示の仕方を制御する制御手段と、上記照明手段を制御する照明制御手段とを備え、
上記制御手段は、所定の時間帯の電力量の表示画面を所定時間表示した後、他の時間帯の電力量の表示画面に切り換えるようにし、上記照明制御手段は、上記他の時間帯の電力量の表示画面への切り換え後に上記照明手段を他の所定時間点滅させるようにしたことを特徴とする電子式電力量計。
【請求項４】
電圧値及び電流値を計測する電圧・電流計測手段と、上記電圧値及び電流値にもとづいて時間帯別の電力量を演算する演算手段と、上記演算手段によって演算された電力量を時間帯別に表示画面に表示させると共に、上記表示画面を時間帯別に順次切り換えて表示し得るようにされた表示手段と、上記表示画面を照明する照明手段と、上記表示画面の表示の仕方を制御する制御手段と、上記照明手段を制御する照明制御手段とを備え、
上記制御手段は、所定の時間帯の電力量の表示画面を所定時間表示した後、他の時間帯の電力量の表示画面に切り換えるようにし、上記照明制御手段は、上記所定の時間帯の電力量の表示画面が所定時間表示された後、上記他の時間帯の電力量の表示画面に切り換える前に、上記照明手段を他の所定時間点滅させるようにしたことを特徴とする電子式電力量計。
【請求項５】
電圧値及び電流値を計測する電圧・電流計測手段と、上記電圧値及び電流値にもとづいて時間帯別の電力量を演算する演算手段と、上記演算手段によって演算された電力量を時間帯別に表示画面に表示させると共に、上記表示画面を時間帯別に順次切り換えて表示し得るようにされた表示手段と、上記表示画面の近傍に設けられ、発光する発光手段と、上記表示画面の表示の仕方を制御する制御手段と、上記発光手段を制御する発光制御手段とを備え、上記制御手段は、所定の時間帯の電力量の表示画面を所定時間表示した後、他の時間帯の電力量の表示画面に切り換えるようにし、上記発光制御手段は、上記他の時間帯の電力量の表示画面への切り換え後に上記発光手段を他の所定時間点滅させるようにしたことを特徴とする電子式電力量計。
【請求項６】
電圧値及び電流値を計測する電圧・電流計測手段と、上記電圧値及び電流値にもとづいて時間帯別の電力量を演算する演算手段と、上記演算手段によって演算された電力量を時間帯別に表示画面に表示させると共に、上記表示画面を時間帯別に順次切り換えて表示し得るようにされた表示手段と、上記表示画面の近傍に設けられ、発光する発光手段と、上記表示画面の表示の仕方を制御する制御手段と、上記発光手段を制御する発光制御手段とを備え、上記制御手段は、所定の時間帯の電力量の表示画面を所定時間表示した後、他の時間帯の電力量の表示画面に切り換えるようにし、上記発光制御手段は、上記所定の時間帯の電力量の表示画面が所定時間表示された後、上記他の時間帯の電力量の表示画面に切り換える前に上記発光手段を他の所定時間点滅させるようにしたことを特徴とする電子式電力量計。
【請求項７】
点滅時間または点滅回数を設定する点滅設定手段を設けたことを特徴とする請求項１〜請求項６のいずれか１項記載の電子式電力量計。
【発明の詳細な説明】
【技術分野】
【０００１】
この発明は電子式電力量計、特に時間帯別の電力量を計測すると共に、時間帯ごとの電力量を切り換え表示するようにした電子式電力量計に関するものである。
【背景技術】
【０００２】
従来の電子式電力量計においては、時間帯別の電力量を計測して計量値を表示する場合、時間帯別の電力量計量値が表示された検針画面が所定の時間間隔で自動的に順次切り換わり、検針員がその時間帯における電力量の計量値表示を目視にて読み取って記録していた。（例えば特許文献１参照）。
【０００３】
【特許文献１】特開２００１−１８３４００号公報
【発明の開示】
【発明が解決しようとする課題】
【０００４】
従来の電子式電力量計は上記のように構成され、複数の時間帯別の計量値が任意の表示部にて所定の時間間隔で自動的に順次切り換え表示されるが、時間帯別の類似した画面が連続的に切り換えられるため、画面が切り換わったことに気付きにくいという問題点があった。
【０００５】
また、所定の時間帯の画面を見逃すと、画面表示が一巡して所定の時間帯の画面が再表示されるまで待つ必要があるため、検針に時間がかかるという問題点もあった。
【０００６】
この発明は、上記のような問題点を解消するためになされたもので、時間帯別の計量値を検針する検針員の画面の見逃しを減らし、検針に要する時間を短縮化して効率よく検針することができる電子式電力量計を提供することを目的とする。
【課題を解決するための手段】
【０００７】
この発明に係る電子式電力量計は、電圧値及び電流値を計測する電圧・電流計測手段と、上記電圧値及び電流値にもとづいて時間帯別の電力量を演算する演算手段と、上記演算手段によって演算された電力量を時間帯別に表示画面に表示させると共に、上記表示画面を時間帯別に順次切り換えて表示し得るようにされた表示手段と、上記表示画面の表示の仕方を制御する制御手段とを備え、上記制御手段は、所定の時間帯の電力量の表示画面を所定時間点灯表示した後、他の時間帯の電力量の表示画面に切り換えて、この表示画面の少なくとも一部を他の所定時間点滅させ、その後、上記他の時間帯の電力量の表示画面を所定時間点灯表示するようにしたものである。
【発明の効果】
【０００８】
この発明に係る電子式電力量計は上記のように構成され、時間帯別の表示画面が所定の時間間隔で自動的に順次切り換わる際、画面切り換わりのタイミングを視覚的に通知するようにしたので、切り換わり後の画面の見逃しを減らすことができる。
【発明を実施するための最良の形態】
【０００９】
実施の形態１
以下、この発明の実施の形態１を図にもとづいて説明する。図1は、実施の形態１による電子式電力量計の外観構成を示す概略図、図２は、実施の形態１による電子式電力量計の構成を示すブロック図、図３は、実施の形態１による電子式電力量計の表示画面の切り換え状態を説明するための説明図、図４は、実施の形態１による電子式電力量計の動作を説明するためのタイムチャート図である。
【００１０】
図１および図２において、電子式電力量計１は、電力供給装置３から送電線２を介して負荷４に供給される電力を、入出力端子部１１から電子式電力量計１の内部に取り入れ、電圧検出部１２にて電圧値を、電流検出部１３にて電流値をそれぞれ検出し、それぞれの検出値を電力演算部１４に入力して瞬時電力を演算し、その瞬時電力演算値を中央演算部１５に入力して電力量を演算し、制御手段である表示制御部１６によって、表示手段である表示器５０に電力量を表示する。
【００１１】
なお、電子式電力量計１の外部から通信部１７および点滅設定部１８を介して制御手段である表示制御部１６の点滅間隔や点滅回数を設定することが可能である。表示手段である表示器５０はセグメント表示部５１を有し、セグメント表示部５１は、検針画面であることを示す検針表示部５２、計量値確定月日を示す月日表示部５３、その検針月日に確定した計量値を表示する計量値表示部５４、その計量値が該当する時間帯を表示する時間帯表示部５５を有している。
【００１２】
次に、実施の形態１の動作について図３を用いて説明する。図３（ａ）（ｂ）（ｃ）（ｄ）（ｅ）は順次切り換えられる表示画面を構成するセグメント表示部５１の具体的な表示例を示している。セグメント表示部５１の表示画面は、所定の時間間隔で自動的に順次切り換えられるようになっている。
【００１３】
図３（ａ）は、７月１日の検針で時間帯１の電力計量値が0.10KW/hであることを示すセグメント表示部５１の表示画面５０１を例示している。図３（ｃ）は、同じく７月１日の検針で時間帯２の電力計量値が0.02KW/hであることを示すセグメント表示部５１の表示画面５０２を例示している。図３（ｂ）は、時間帯１の表示画面である図３（ａ）から時間帯２の表示画面である図３（ｃ）に切り換わる過程で表示される画面５０２ａを例示している。
【００１４】
また、図３（ｅ）は、７月１日の検針で時間帯３の電力計量値が0.02KW/hであることを示すセグメント表示部５１の表示画面５０３を例示している。図３（ｄ）は、時間帯２の表示画面である図３（ｃ）から時間帯３の表示画面である図３（ｅ）に切り換わる過程で表示される画面５０３ａを例示している。
【００１５】
図３（ａ）に示すように、時間帯１の電力量を表示する画面５０１を所定の時間、例えば10秒、表示した後、図３（ｂ）に示すように、時間帯２の電力量を表示する画面５０２ａに切り換え、画面の表示事項である月日表示部５３、計量値表示部５４、時間帯表示部５５の全部または一部を例えば0.1秒間隔で２回、合計、例えば0.5秒間、消灯と点灯を交互に繰り返す点滅状態とし、画面が時間帯２に切り換えられたことを通知する。
所定の点滅時間経過後、例えば0.5秒後に点滅動作を停止し、図３（ｃ）に示す時間帯２の検針画面５０２を所定時間、例えば10秒間点灯表示する。
【００１６】
次に、図３（ｄ）に示すように、時間帯３の電力量を表示する画面５０３ａに切り換え、上述した図３（ｂ）と同様に、画面の表示事項の全部または一部を例えば0.1秒間隔で２回、合計0.5秒間、消灯と点灯を交互に繰り返す点滅状態とし、画面が時間帯３に切り換えられたことを通知する。
【００１７】
所定の点滅時間経過後、例えば0.5秒後に点滅動作を停止し、図３（ｅ）に示すように、時間帯３の画面を所定時間、例えば10秒間点灯表示し、以後上述の動作を繰り返す。なお、上述した点滅動作は任意の周期、例えば0.1秒間隔で２回というように表示制御部１６によって制御されるようになっているが、点滅間隔と点滅回数は図２の点滅設定部１８によって任意に設定することが可能であり、また、通信部１７を介して外部から設定することも可能である。
【００１８】
図４は、上述した各時間帯の表示画面の表示と切り換えの状況をタイムチャートで示したもので、図３（ａ）（ｂ）（ｃ）（ｄ）（ｅ）に対応して表示される検針画面および画面の点灯、消灯の時間関係を示したものである。
【００１９】
実施の形態１による電子式電力量計は上記のように構成され、検針画面が所定の間隔で自動的に次の時間帯の画面に切り換えられる場合において、次の時間帯の画面に切り換えた状態で点滅させ、画面切り換わりのタイミングを視覚的に通知するようにしたので、切り換えられた画面の見逃しを減らすことができる。また、点滅間隔と点滅回数は点滅設定部１８によって任意に設定できるようにしたため、検針者の検針能力に合わせた表示形態にすることができる。
【００２０】
実施の形態２．
次に、この発明の実施の形態２を図にもとづいて説明する。電子式電力量計の外観構成および基本的な回路構成は図１、図２と同じであるため、図示および説明を省略する。
実施の形態１と異なる点は表示画面の切り換え時における表示の仕方である。
【００２１】
図５（ａ）（ｂ）（ｃ）（ｄ）（ｅ）は実施の形態２において順次切り換えられる表示画面を構成するセグメント表示部５１の具体的な表示例を示している。図示の検針日とか時間帯１、２、３における電力計量値等は図３と同じ内容を例示している。
【００２２】
実施の形態２は、図５（ａ）に示すように、時間帯１の電力量を表示する画面５０１を所定の時間、例えば10秒間点灯表示した後、図５（ｂ）に示すように、時間帯１の画面５０１の表示事項である月日表示部５３、計量値表示部５４、時間帯表示部５５の全部または一部を例えば0.1秒間隔で２回、合計、例えば0.5秒間、消灯と点灯を交互に繰り返す点滅状態の画面５０１ａとし、画面が切り換えられる直前の状態にあることを通知する。
【００２３】
点滅動作の停止後、例えば0.5秒後に図５（ｃ）に示すように、時間帯２の電力量を表示する画面５０２に切り換え、所定時間、例えば10秒間点灯表示する。その後、図５（ｄ）に示すように、時間帯２の画面５０２を上述した図５（ｂ）と同様に、画面の表示事項の全部または一部を例えば0.1秒間隔で２回、合計、例えば0.5秒間、消灯と点灯を交互に繰り返す点滅状態の画面５０２ａとし、画面が切り換えられる直前の状態にあることを通知する。
【００２４】
その後、図５（ｅ）に示すように、時間帯３の画面５０３に切り換えて所定時間、例えば10秒間点灯表示し、以後、上述の動作を繰り返す。なお、上述した点滅動作は任意の周期、例えば0.1秒間隔で２回というように表示制御部１６によって制御されるようになっているが、点滅間隔と点滅回数は実施の形態１と同様に、点滅設定部１８によって任意に設定することが可能であり、また、通信部１７を介して外部から設定することも可能である。
【００２５】
図６は、実施の形態２における各時間帯の表示画面の表示と切り換えの状況をタイムチャートで示したもので、図５（ａ）（ｂ）（ｃ）（ｄ）（ｅ）に対応して表示される検針画面および画面の点灯、消灯の時間関係を示したものである。
【００２６】
実施の形態２による電子式電力量計は上記のように構成され、検針画面が所定の間隔で自動的に次の時間帯の画面に切り換えられる場合において、次の時間帯の画面に切り換える前に、前の時間帯の画面を点滅させ、画面切り換わりのタイミングを視覚的に通知するようにしたので、切り換えられた画面の見逃しを減らすことができる。
【００２７】
実施の形態３．
次に、この発明の実施の形態３を図にもとづいて説明する。図７は、実施の形態３による電子式電力量計の構成を示すブロック図、図８は、実施の形態３による電子式電力量計の表示画面の切り換え状態を説明するための説明図、図９は、実施の形態３による電子式電力量計の動作を説明するためのタイムチャート図である。これらの図において、図２〜図４と同一または相当部分には同一符号を付して説明を省略する。図７において、図２と異なる点は、表示器５０の背面に上記表示器５０を照明する照明手段としての照明部５６を設けると共に、照明部５６を制御する照明制御手段として照明制御部１９を設けたものである。
照明制御部１９は、電子式電力量計１の外部から通信部１７および点滅設定部１８を介して照明条件を設定し得るようにされている。
【００２８】
次に、実施の形態３の動作について説明する。図８（ａ）（ｂ）（ｃ）（ｄ）（ｅ）は順次切り換えられる表示画面を構成するセグメント表示部５１の具体的な表示例を示している。セグメント表示部５１の表示画面は実施の形態１および２と同様に、所定の時間間隔で自動的に順次切り換えられるようになっている。
【００２９】
図８（ａ）は、７月１日の検針で時間帯４の電力計量値が0.10KW/hであることを示すセグメント表示部５１の表示画面５０４を例示している。図８（ｃ）は、同じく７月１日の検針で時間帯５の電力計量値が0.02KW/hであることを示すセグメント表示部５１の表示画面５０５を例示している。図８（ｂ）は、時間帯４の表示画面である図８（ａ）から時間帯５の表示画面である図８（ｃ）に切り換わる過程で表示される画面５０５ａを例示している。
【００３０】
また、図８（ｅ）は、７月１日の検針で時間帯６の電力計量値が0.02KW/hであることを示すセグメント表示部５１の表示画面５０６を例示している。図８（ｄ）は、時間帯５の表示画面である図８（ｃ）から時間帯６の表示画面である図８（ｅ）に切り換わる過程で表示される画面５０６ａを例示している。
【００３１】
図８（ａ）に示すように、時間帯４の電力量を表示する画面５０４を所定の時間、例えば10秒間表示した後、図８（ｂ）に示すように、時間帯５の電力量を表示する画面５０５ａに切り換え、例えば0.1秒間隔で２回、合計、例えば0.5秒間、照明部５６の消灯と点灯を交互に繰り返す点滅状態とし、画面が時間帯５に切り換えられたことを通知する。
所定の点滅時間経過後に点滅動作を停止し、図８（ｃ）に示す時間帯５の検針画面５０５を所定時間、例えば10秒間表示する。
【００３２】
次に、図８（ｄ）に示すように、時間帯６の電力量を表示する画面５０６ａに切り換え、図８（ｂ）と同様に、例えば0.1秒間隔で２回、合計0.5秒間、照明部５６の消灯と点灯を交互に繰り返す点滅状態とし、画面が時間帯６に切り換えられたことを通知する。
【００３３】
点滅時間経過後に点滅動作を停止し、図８（ｅ）に示すように、時間帯６の画面を所定時間、例えば10秒間表示し、以後上述の動作を繰り返す。なお、上述した照明部５６の点滅動作は任意の周期、例えば0.1秒間隔で２回というように表示制御部１６によって制御されるようになっているが、点滅間隔と点滅回数は図７の点滅設定部１８によって任意に設定することが可能であり、また、通信部１７を介して外部から設定することも可能である。
【００３４】
図９は、実施の形態３の表示画面の表示と切り換えの状況をタイムチャートで示したもので、図８（ａ）（ｂ）（ｃ）（ｄ）（ｅ）に対応して表示される検針画面および照明部５６の点灯、消灯の時間関係を示したものである。
【００３５】
実施の形態３による電子式電力量計は上記のように構成され、検針画面が所定の間隔で自動的に次の時間帯の画面に切り換えられる場合において、次の時間帯の画面に切り換えた状態で照明部を点滅させ、画面切り換わりのタイミングを視覚的に通知するようにしたので、切り換えられた画面の見逃しを減らすことができる。
【００３６】
実施の形態４．
次に、この発明の実施の形態４を図にもとづいて説明する。電子式電力量計の基本的な回路構成は図７と同じであるため図示および説明を省略する。実施の形態３と異なる点は表示画面の切り換え時における表示の仕方である。
【００３７】
図１０（ａ）（ｂ）（ｃ）（ｄ）（ｅ）は実施の形態４において順次切り換えられる表示画面を構成するセグメント表示部５１の具体的な表示例を示している。図示の検針日とか時間帯４、５、６における電力計量値等は図８と同じ内容を例示している。
【００３８】
実施の形態４は、図１０（ａ）に示すように、時間帯４の電力量を表示する画面５０４を所定の時間、例えば10秒間表示した後、図１０（ｂ）に示すように、時間帯４の画面のまま照明部５６を例えば0.1秒間隔で２回、合計、例えば0.5秒間、消灯と点灯を交互に繰り返す点滅状態の画面５０４ａとし、画面が切り換えられる直前の状態にあることを通知する。
【００３９】
点滅動作の停止後、例えば0.5秒後に図１０（ｃ）に示すように、時間帯５の電力量を表示する画面５０５に切り換え、所定時間、例えば10秒間表示する。その後、図１０（ｄ）に示すように、時間帯５の画面のまま照明部５６を図１０（ｂ）と同様に、例えば0.1秒間隔で２回、合計、例えば0.5秒間、消灯と点灯を交互に繰り返す点滅状態の画面５０５ａとし、画面が切り換えられる直前の状態にあることを通知する。その後、図１０（ｅ）に示すように、時間帯６の画面５０６に切り換えて所定時間、例えば10秒間表示し、以後、上述の動作を繰り返す。
【００４０】
図１１は、実施の形態４における各時間帯の表示画面の表示と切り換えの状況をタイムチャートで示したもので、図１０（ａ）（ｂ）（ｃ）（ｄ）（ｅ）に対応して表示される検針画面および照明部の点灯、消灯の時間関係を示したものである。
【００４１】
実施の形態４による電子式電力量計は上記のように構成され、検針画面が所定の間隔で自動的に次の時間帯の画面に切り換えられる場合において、次の時間帯の画面に切り換える前に、前の時間帯の画面のまま照明部を点滅させ、画面切り換わりのタイミングを視覚的に通知するようにしたので、切り換えられた画面の見逃しを減らすことができる。
【００４２】
実施の形態５．
次に、この発明の実施の形態５を図にもとづいて説明する。図１２は、実施の形態５による電子式電力量計の構成を示すブロック図、図１３は、実施の形態５による電子式電力量計の切り換え状態を説明するための説明図、図１４は、実施の形態５による電子式電力量計の動作を説明するためのタイムチャート図である。これらの図において、図２〜図４と同一または相当部分には同一符号を付して説明を省略する。
【００４３】
図２と異なる点は、表示部５０の近傍に発光手段である発光部５７を設けると共に、発光制御手段として発光制御部２０を設けた点である。なお、発光制御部２０は電子式電力量計１の外部から通信部１７および点滅設定部１８を介して発光条件を設定し得るようにされている。
【００４４】
次に、実施の形態５の動作について説明する。図１３（ａ）（ｂ）（ｃ）（ｄ）（ｅ）は順次切り換えられる表示画面を構成するセグメント表示部５１の具体的な表示例を示している。セグメント表示部５１の表示画面は各実施の形態と同様に、所定の時間間隔で自動的に順次切り換えられるようになっている。
【００４５】
図１３（ａ）は、７月１日の検針で時間帯７の電力計量値が0.10KW/hであることを示すセグメント表示部５１の表示画面５０７を例示している。図１３（ｃ）は、同じく７月１日の検針で時間帯８の電力計量値が0.02KW/hであることを示すセグメント表示部５１の表示画面５０８を例示している。図１３（ｂ）は、時間帯７の表示画面である図１３（ａ）から時間帯８の表示画面である図１３（ｃ）に切り換わる過程で表示される画面５０８ａを例示している。
【００４６】
また、図１３（ｅ）は、７月１日の検針で時間帯９の電力計量値が0.02KW/hであることを示すセグメント表示部５１の表示画面５０９を例示している。図１３（ｄ）は、時間帯８の表示画面である図１３（ｃ）から時間帯９の表示画面である図１３（ｅ）に切り換わる過程で表示される画面５０９ａを例示している。
【００４７】
図１３（ａ）に示すように、時間帯７の電力量を表示する画面５０７を所定の時間、例えば10秒間表示した後、図１３（ｂ）に示すように、時間帯８の電力量を表示する画面５０８ａに切り換え、例えば0.1秒間隔で２回、合計、例えば0.5秒間、発光部５７の消灯と点灯を交互に繰り返す点滅状態とし、画面が時間帯８に切り換えられたことを通知する。
所定の点滅時間経過後、例えば0.5秒後に点滅動作を停止し、図１３（ｃ）に示す時間帯８の検針画面５０８を所定時間、例えば10秒間表示する。
【００４８】
次に、図１３（ｄ）に示すように、時間帯９の電力量を表示する画面５０９ａに切り換え、図１３（ｂ）と同様に、例えば0.1秒間隔で２回、合計0.5秒間、発光部５７の消灯と点灯を交互に繰り返す点滅状態とし、画面が時間帯９に切り換えられたことを通知する。
【００４９】
所定の点滅時間経過後、例えば0.5秒後に点滅動作を停止し、図１３（ｅ）に示すように、時間帯９の画面を所定時間、例えば10秒間表示し、以後上述の動作を繰り返す。
なお、上述した発光部５７の点滅動作は任意の周期、例えば0.1秒間隔で２回というように表示制御部１６によって制御されるようになっているが、点滅間隔と点滅回数は図１２の点滅設定部１８によって任意に設定することが可能であり、また、通信部１７を介して外部から設定することも可能である。
【００５０】
図１４は、実施の形態５における各時間帯の表示画面の表示と切り換えの状況をタイムチャートで示したもので、図１３（ａ）（ｂ）（ｃ）（ｄ）（ｅ）に対応して表示される検針画面および発光部の点灯、消灯の時間関係を示したものである。
【００５１】
実施の形態５による電子式電力量計は上記のように構成され、検針画面が所定の間隔で自動的に次の時間帯の画面に切り換えられる場合において、次の時間帯の画面に切り換えた状態で発光部を点滅させ、画面切り換わりのタイミングを視覚的に通知するようにしたので、切り換えられた画面の見逃しを減らすことができる。また、点滅間隔と点滅回数は点滅設定部１８によって任意に設定できるようにしたため、検針者の検針能力に合わせた表示形態にすることができる。
【００５２】
実施の形態６．
次に、この発明の実施の形態６を図にもとづいて説明する。電子式電力量計の基本的な回路構成は図１２と同じであるため図示および説明を省略する。実施の形態５と異なる点は表示画面の切り換え時における表示の仕方である。
【００５３】
図１５（ａ）（ｂ）（ｃ）（ｄ）（ｅ）は実施の形態６において順次切り換えられる表示画面を構成するセグメント表示部５１の具体的な表示例を示している。図示の検針日とか時間帯７、８、９における電力計量値等は図１３と同じ内容を例示している。
【００５４】
実施の形態６は、図１５（ａ）に示すように、時間帯７の電力量を表示する画面５０７を所定の時間、例えば10秒間表示した後、図１５（ｂ）に示すように、時間帯７の画面のまま発光部５７を例えば0.1秒間隔で２回、合計、例えば0.5秒間、消灯と点灯を交互に繰り返す点滅状態の画面５０７ａとし、画面が切り換えられる直前の状態にあることを通知する。
【００５５】
点滅動作の停止後、例えば0.5秒後に図１５（ｃ）に示すように、時間帯８の電力量を表示する画面５０８に切り換え、所定時間、例えば10秒間表示する。その後、図１５（ｄ）に示すように、時間帯８の画面のまま発光部５７を図１５（ｂ）と同様に、例えば0.1秒間隔で２回、合計、例えば0.5秒間、消灯と点灯を交互に繰り返す点滅状態の画面５０８ａとし、画面が切り換えられる直前の状態にあることを通知する。その後、図１５（ｅ）に示すように、時間帯９の画面５０９に切り換えて所定の時間、例えば10秒間表示し、以後、上述の動作を繰り返す。
【００５６】
図１６は、実施の形態６における各時間帯の表示画面の表示と切り換えの状況をタイムチャートで示したもので、図１５（ａ）（ｂ）（ｃ）（ｄ）（ｅ）に対応して表示される検針画面および発光部の点灯、消灯の時間関係を示したものである。
【００５７】
実施の形態６による電子式電力量計は上記のように構成され、検針画面が所定の間隔で自動的に次の時間帯の画面に切り換えられる場合において、次の時間帯の画面に切り換える前に、前の時間帯の画面のまま発光部を点滅させ、画面切り換わりのタイミングを視覚的に通知するようにしたので、切り換えられた画面の見逃しを減らすことができる。
【図面の簡単な説明】
【００５８】
【図１】この発明の実施の形態１による電子式電力量計の外観構成を示す概略図である。
【図２】実施の形態１による電子式電力量計の構成を示すブロック図である。
【図３】実施の形態１による電子式電力量計の表示画面の切り換え状態を説明するための説明図である。
【図４】実施の形態１による電子式電力量計のタイムチャートである。
【図５】この発明の実施の形態２による電子式電力量計の表示画面の切り換え状態を説明するための説明図である。
【図６】実施の形態２による電子式電力量計のタイムチャートである。
【図７】この発明の実施の形態３による電子式電力量計の構成を示すブロック図である。
【図８】実施の形態３による電子式電力量計の表示画面の切り換え状態を説明するための説明図である。
【図９】実施の形態３による電子式電力量計のタイムチャートである。
【図１０】この発明の実施の形態４による電子式電力量計の表示画面の切り換え状態を説明するための説明図である。
【図１１】実施の形態４による電子式電力量計のタイムチャートである。
【図１２】この発明の実施の形態５による電子式電力量計の構成を示すブロック図である。
【図１３】実施の形態５による電子式電力量計の表示画面の切り換え状態を説明するための説明図である。
【図１４】実施の形態５による電子式電力量計のタイムチャートである。
【図１５】この発明の実施の形態６による電子式電力量計の表示画面の切り換え状態を説明するための説明図である。
【図１６】実施の形態６による電子式電力量計のタイムチャートである。
【符号の説明】
【００５９】
１  電子式電力量計、  １１  入力端子、  １２  電圧検出部、  １３  電流検出部、
１４  電力演算部、  １５  中央演算部、  １６  表示制御部、  １７  通信部、
１８  点滅設定部、  １９  照明制御部、  ２０  発光制御部、  ５０  表示器、
５１  セグメント表示部、  ５２  検針表示部、  ５３  月日表示部、
５４  計量値表示部、  ５５  時間帯表示部、  ５６  照明部、  ５７  発光部、
５０１  時間帯1の検針画面、  ５０２  時間帯２の検針画面、
５０３  時間帯３の検針画面、  ５０４  時間帯４の検針画面、
５０５  時間帯５の検針画面、  ５０６  時間帯６の検針画面、
５０７  時間帯７の検針画面、  ５０８  時間帯８の検針画面、
５０９  時間帯９の検針画面。
【図１】
2007278753.tif 000003
【図２】
2007278753.tif 000004
【図３】
2007278753.tif 000005
【図４】
2007278753.tif 000006
【図５】
2007278753.tif 000007
【図６】
2007278753.tif 000008
【図７】
2007278753.tif 000009
【図８】
2007278753.tif 000010
【図９】
2007278753.tif 000011
【図１０】
2007278753.tif 000012
【図１１】
2007278753.tif 000013
【図１２】
2007278753.tif 000014
【図１３】
2007278753.tif 000015
【図１４】
2007278753.tif 000016
【図１５】
2007278753.tif 000017
【図１６】
2007278753.tif 000018